(57)【要約】【課題】１，０，∞等のまわりに記号を付して、現代社会で認識されている１，０，∞でないことを表現する。【解決手段】地嵐学、気嵐学、雑嵐学に用いる１は、その使用条件によって、使用者が決められる１で、例えば、＞０＜付１は、現実の世界で、満月が欠けて見えなくなることがあるが、実際には、月は存在し、人間の目に写らないだけで、存在を認めなければならない。この現象を、＞０＜付１で表す。ここで、＞は月が満月から徐々にしぼむ変化をしている状態を示し、０は月が見えなくなる状態を示し、＜０は見えた月が徐々に大きくなっていく状態を示す。【選択図】なし【特許請求の範囲】
【請求項１】
１，０，∞、又は、＝のまわりに記号を付して、１でない、０でない、又は、イコールでないことを表現した表現方法。
【請求項２】
前記記号は、☆，△，▲，＞，＜，◇，◆，→，←，⇒，又は、※，であることを特徴とする請求項１に記載の表現方法。
【請求項３】
請求項１又は２に記載の表現方法を用いて事象を表現した印刷物。
【発明の詳細な説明】
【技術分野】
【０００１】
本発明は、事象の表現方法及び該表現方法を用いて事象を表現した印刷物に係り、より詳細には、従来にない新規な表現方法を用いて、自然界の異常例えば地震や竜巻の予知、機器の異常例えば機器の破損に基づく危険の予知、人物の特定例えば犯人像の予知等を可能にしたものである。
【背景技術】
【０００２】
現代社会において、１＋１＝２であり、これ以外の答えはない。これは、世界に共通の認識であり、もし、何らの条件なしに１＋１＝１と答えたら、間違いなく、社会に受け入れてもらえない。
しかし、現実の社会には、１＋１＝２では表現しきれない事象が多数あり、現在の社会では、これらの事象を表現するに十分な手段がない。
【０００３】
現在、地球上で発生する地震や火山の噴火現象については、学問的に説明できる理論が見当たらない。それ故に、地震の学問的原理を解明するのが、重要なテーマであり、このテーマ、つまり、地震の学問的原理を解明しない限り、地震の予知、火山噴火の予知への道筋ができない。
【０００４】
地震の現象で、あの大きな振動エネルギーがなぜ数百ｋｍも伝送するのか、また、海や川でなぜ衰弱しないのか、震源地からの一方的な揺れ方をなぜしないのか等について、調べる必要がある。
地震被害から人類を守るには、地震の予知をできるようにすることが最も重要であり、地震被害の火災から、被害をなくすには、地震の発生時刻を正確に知るのが、最も重要なテーマである。地震被害を最小限にすることは国の経済損失を少なくし、経済を安定させる要点である。
【発明の開示】
【発明が解決しようとする課題】
【０００５】
本発明は、上述のごとき実情に鑑みてなされたもので、地震や台風等の自然界に発生する異常の予知や機器から発生する異常の予知等を効果的に行うことができ、現在社会では表現しきれない事象、具体的には、１＋１＝２では表現することのできない事象を効果的に表現する表現方法を提供するものである。
【課題を解決するための手段】
【０００６】
請求項１の発明は、１，０，∞、又は、＝のまわりに記号を付して、１でない、０でない、無限大ではない、又は、イコールでないことを表現することを特徴としたものである。
【０００７】
請求項２の発明は、請求項１の発明において、前記記号は、☆，△，▲，＞，＜，◇，◆，→，←，⇒，又は、※，であることを特徴としたものである。
【０００８】
請求項３の発明は、請求項１又は２に記載の表現方法を用いて地震の予知、又は、台風の予知、又は、機器破損の予知、又は、犯人の特定等を可能としたことを特徴としたものである。
【発明の効果】
【０００９】
本発明によると、自然界における地震や台風（竜巻）等の異常の予知や、機器の破損の検知、更には、犯人像の特定等を効果的に表現することができる。
【発明を実施するための最良の形態】
【００１０】
本出願人は、地震の原理を追求中に、現在の学問では表現できない現象に遭遇し、これを解決するための手段として、地嵐学を創設した。ことの始まりは、地球内部に圧力変化が生じ、地殻の圧力のバランスが取れなくなって、地震が発生すると考えたことにある。
【００１１】
また、地上では気圧が変化し、超低気圧となり、そこに気温の上昇が重なると、台風が発生し、地表の温度が高ければ、台風が発生し、地表の温度が低下すれば、台風は減衰して温帯低気圧となる。このような地表上の圧力変化に伴う台風や竜巻の現象を説明するための手段を地球内部の圧力変化を対象とする前記地嵐学に対応して、気嵐学と名付けた。
【００１２】
また、音も圧力変化の一形態であり、日常生活の中で、しばしばこの音の異常にも遭遇する。この音の異常も、前述の地嵐学でいうところの地球内部の圧力変化の異常、或いは、気嵐学でいうところの気圧変化の異常に相当するものであり、これらの現象を含め、前記地嵐学、気嵐学以外の異常現象を雑嵐学として取り扱う。
【００１３】
【数１】
2006053058.tif 000002
【００１４】
地嵐学、気嵐学、雑嵐学に用いる１は、その使用条件によって、使用者が決める１で、例えば、＞０＜付１は、現実の世界で、満月が欠けて見えなくなることがあるが、実際には、月は存在し、人間の目に写らないだけで、存在を認めなければならない。
この現象を＞０＜付１で表す。ここで、＞は月が満月から徐々にしぼむ変化をしている状態を示し、０は月が見えなくなる状態を示し、＜０は見えた月が徐々に大きくなっていく状態を示す。
【００１５】
【数２】
2006053058.tif 000003
【００１６】
【数３】
2006053058.tif 000004
【００１７】
上述のように、共食い、殺人を定義して説明すれば、子供にしても、社会人にしても、現在の不安定な考えから、安定した考えに移向することができる。
【００１８】
【数４】
2006053058.tif 000005
【００１９】
【数５】
2006053058.tif 000006
【００２０】
前記（１−１）を現在の数学で使用する安定した０にしてしまえば、本発明による地嵐学、気嵐学、雑嵐学にはならない。本発明による地嵐学、気嵐学、雑嵐学の（１−１）は０であるが、この０は、前述の月の陰暦の状態での０、生命の死亡に至った０、等のように考えた０であり、これにより、上記の１，∞，０が理解できる。
【００２１】
現代社会は、１，∞，０を簡単に数字として扱っているが、本発明のように、揉め事の原因で、条件変化を定義して使用し、不足を追加すればよいことが解る。
∞についても、集積された無限大もあり、ただ１個の無限大もある。∞のそばの∞、∞が発生し消滅する∞、等条件を定義しなければならない。地嵐学、気嵐学、雑嵐学を利用すれば、地震原理を使った地震予知に利用したり、竜巻の原理を使った竜巻予報を出したりすることができ、間接的な経済効果は、図り知れない。
【実施例１】
【００２２】
最初に、本発明による地嵐学を用いて、地震を予知する例について説明する。
図１は、本発明が適用される地震センサーの基本概念を説明するための図で（詳細には、本出願人が先に出願した特開平１１−２５８３５３号公報参照）、図中、１，１’は棒磁石、３は両棒磁石１，１’を一体的に収納する外枠で、前記２個の永久磁石１，１’は該外枠３内に同極同士（Ｎ極同士又はＳ極同士）を対向して配設されている。
【００２３】
図１に示すように、棒磁石１，１’の同極同士を向かい合わせて、磁力が反発する状態で外枠３にて固定すれば、磁石の性質とは全く異なった性質が現れる。これを地嵐センサーと名付ける。地嵐センサー１０を紐２０で吊るし、回転自在の状態にすれば、地嵐センサー１０は、東西に近い方向を指示する。このセンサー１０が感知するものを地嵐線と名付ける。
【００２４】
地嵐線は、地球内部の地殻に地震を発生させるような、圧縮減少があると始まり、その地点より発生する。センサー１０はその地嵐線を感知すると左右に振れ、地嵐線の量に比例し、圧縮状態と、ゆるむ状態とでは指示方向が反転する。この地嵐センサーを用いれば、地震の発生を予知することができる。
【００２５】
図２は、上述のごとき地嵐センサーを多数用いて地震を検知する例を説明するための図で、図中、１０1〜１０4は図１に示した地嵐センサー１０と同様の構造を持つ地嵐センサー、１０5は単一の棒磁石２からなる地嵐センサーで、該地嵐センサー１０5は、地嵐センサー１０1〜１０4の約１／１００の重さを持つ地嵐センサーで、該地嵐センサー１０5も吊り紐２０5で吊り下げられている。これら地嵐センサー１０1〜１０2間、１０2〜１０3間、１０3〜１０4間、及び、１０4〜１０5間は、相互に地嵐が影響する間隔で吊り下げられている。
【００２６】
ここで、地嵐センサー１０1に回転振動エネルギーを与えると、ある周期付近で、１０1→１０2，１０2→１０3，１０3→１０4，１０4→１０5とエネルギーが減少することなく伝送する。ただし、地嵐センサー１０5の回点振動エネルギーは、その重量が他の地嵐センサーの約１／１００であるため、増幅されて約１００倍近くに成る。また、仮に、地嵐センサー１０2に外部より地嵐エネルギーを与えると、センサー１０2以降のセンサー１０3，１０4には、増幅された回転振動エネルギーが伝わる。
【００２７】
【数６】
2006053058.tif 000007
【００２８】
地球の内部で、地殻が加圧状態になって、そこから地嵐線が発生すると、地嵐線の分量に比例し安定した位置方向から変位を生じる。これは、加圧状態が発生した時点から変位するが、大きな地震では２〜３日前から発生し、地震の発生する約１時間前から、異常の変化をする。その特性から地震の発生時間を分単位で読み取ることができる。自然現象であるから変位が小さい場合は、地震が発生しない場合もある。更に、地嵐線の垂直分を使用すれば、震源地の方向を予知できる。
【００２９】
このことが、地嵐による無限大に近い振動伝導現象で、今までの学会、教育関係産業界で、未知の現象であった。これを応用すれば、回転振動エネルギーをロスしないで、遠方へ伝送することができることが解明され、同時に産業界に利用することが可能になった。
【００３０】
次に、気嵐学を用いた応用例について説明する。地球表面上で、大きな高気圧２つが同一方向に否定した方向面で回転し、その接触面に小さな逆回転の高気圧が存在すると、この小さな高気圧は無限大に近い回転現象に成長する。この現象が竜巻で、低気圧でも竜巻は発生する。気嵐学では、台風が２つ発生しており、これが、気圧配置の関係で、一つになったことを明確に説明できる。現在の教育、学問では、数字の１＋１＝２としか、答えられないが、現実は、前記竜巻の例で示すように、１＋１＝１であり、１＋１＝２は間違いである。
【００３１】
【数７】
2006053058.tif 000008
【００３２】
図３は、前述の竜巻現象の原理と、該竜巻の予知を説明するための図で、今、図３に示すように、大きな高気圧Ａと、大きな高気圧Ｂが同一方向に回転運動をしたら、小さな低気圧Ｃは、高気圧の直径に比例して、無限大に近い回転数で竜巻Ｃが発生する。この竜巻Ｃは、高気圧Ａ，Ｂの圧力に挟まれて、その中を通り抜ける。この現象は地嵐の実験中に現れた。
このことから、竜巻Ｃの発生、通過する道が、気象条件によって、予測できる。なお、この現象は、気圧配置が反対の時、台風の時も発生する。
【００３３】
台風は、地磁気の中で気圧の変化の現象と、温度変化で発生し、消滅する。竜巻は、電荷を持った、空気の大きな塊が両側にあって、小さな垂直成分の空気の異質の電荷を持った塊が存在し、両側の大きな空気の塊の運動関係で、小さな異質の電荷を持った塊は、塊の大きさに反比例して、運動を起こし、そのエネルギーの量は、無限大に近いくらいの大きさまで、発展する。しかし、∞には成れず、結果は、消滅する。
【００３４】
次に、雑嵐学を適用した危険予知について説明する。音を収集記録することは、現在の技術では、簡単にできる。この技術で、音を収集記録し、正常とは異なる危険な音を収録した時は、危険な音から、正常な音を削除すれば、その音が、危険予知の音となり、例えば、保安管理に役立つ。
【００３５】
現代社会で危険を予知することは大変難しいが、この方法は、経済的にも安価に、装置も用途によっては、腕時計程度にも作ることができ、例えば、国際空港などで、パスポートにその人物の呼吸音を加味すれば、捺印、指紋等の問題にも触れることなく、その人物を確認することができる。
【００３６】
【数８】
2006053058.tif 000009
【００３７】
上述のように、本発明による雑嵐学によれば、機器音を検出し、この機器音から正常時の機器音を削除して異常音のみを検出し、この異常音を危険予知に使用し、或いは、人間の呼吸音を検出して得た当該人間の呼吸音と、当該人間の証明書より割り出した当該人間の正常音とを用い、前記検出した呼吸音より前記割り出した正常音を削除して、当該人間の異常音を検出し、この異常音より犯人像を予知し、保安管理に使用することができる。
【図面の簡単な説明】
【００３８】
【図１】本発明による地嵐学を適用して地震を予知する例の概要を説明するための図である。
【図２】本発明による地嵐学を適用して地震を予知する具体例を説明するための図である。
【図３】本発明による気嵐学を適用して竜巻を予知する例を説明するための図である。
【符号の説明】
【００３９】
１，１’，１1〜１4，１’1〜１’4，２…棒磁石、３，３1〜３4…外枠、１０，１０1〜１０5…地嵐センサー、２０，２０1〜２０5…吊り紐。
【図１】
2006053058.tif 000010
【図２】
2006053058.tif 000011
【図３】
2006053058.tif 000012